(57)【要約】      （修正有）【課題】装置の大型化を抑制しつつ、かつ再給送経路の曲率を小さくすることが可能な画像記録装置を提供する。【解決手段】プリンタ部１０４は、画像が記録された記録用紙を記録路へ戻すための第１反転搬送路１６２を有する。第１反転搬送路１６２は、スイッチバックローラ対１９１の上流側から記録路の上流側に渡って延設された通路である。第１反転搬送路１６２は、第１傾斜路１６２Ａと第２傾斜路１６２Ｂと第２湾曲路１６２Ｃを有する。第２湾曲路１６２Ｃは、主搬送路１６０における第１湾曲路１６０Ａに設けられた貫通孔１６４Ｂを通過して、第１湾曲路１６０Ａよりも後方側に形成される。【選択図】図３
2010228875.tif 000002
【特許請求の範囲】
【請求項１】
記録媒体に画像を記録する画像記録部と、
記録媒体を収容可能な第１収容部と、
収容された前記記録媒体を給送する第１給送部と、
前記第１収容部の下流側かつ前記画像記録部の上流側に配置され、給送された前記記録媒体を前記画像記録部へガイドする第１給送ガイドと、
前記画像記録部の下流側に配置され、画像が記録された前記記録媒体を再給送する再給送部と、
前記画像記録部と前記第１収容部との間に配置され、再給送された前記記録媒体を前記画像記録部へガイドする第１再給送ガイドとを備え、
前記第１給送ガイドには、前記第１再給送ガイドによりガイドされる前記記録媒体が通過する貫通部が設けられていることを特徴とする画像記録装置。
【請求項２】
前記貫通部付近には、前記第１給送ガイドの一部を構成する第１位置と、第１再給送ガイドの一部を構成する第２位置とに回動可能なフラッパをさらに有する請求項１に記載の画像記録装置。
【請求項３】
前記フラッパを前記第２位置に付勢する付勢部材を有する請求項２に記載の画像記録装置。
【請求項４】
前記貫通部よりも上流側の前記第１再給送ガイドの近傍には、再給送された前記記録媒体を前記貫通部を通過させずに前記画像記録部へガイドする第２再給送ガイドをさらに有する請求項１乃至３に記載の画像記録装置。
【請求項５】
前記第２再給送ガイドの一部は、前記第１再給送ガイドにおける記録媒体の搬送方向に直交する方向において、前記第１再給送ガイドよりも両外側にある請求項４に記載の画像記録装置。
【請求項６】
前記第１給送ガイドにおける前記貫通部よりも下流側は、前記第２再給送ガイドの一部を兼用する請求項４または５に記載の画像記録装置。
【請求項７】
前記第１収容部を挟んで前記画像記録部の反対側に配置され、記録媒体を収容可能な第２収容部と、
収容された前記記録媒体を給送する第２給送部と、
前記第２収容部の下流側及び前記画像記録部の上流側に配置され、給送された前記記録媒体を前記画像記録部へガイドする第２給送ガイドとをさらに備え、
前記第２給送ガイドは、前記第１再給送ガイドにおける前記貫通部よりも下流側を兼用する請求項１乃至６に記載の画像記録装置。
【請求項８】
前記第１給送部は、給送ローラと、前記給送ローラを支持し、前記給送ローラと収容された前記記録媒体とが接離するように回動軸を中心に回動する支持アームとを備え、
前記第１再給送ガイドの、前記第１給送部による記録媒体の給送方向への投影面は、前記回動軸の前記投影面と部分的に重なる請求項１乃至７に記載の画像記録装置。
【請求項９】
前記第１再給送ガイドの、前記第１給送部による記録媒体の給送方向への投影面は、前記画像記録部の前記投影面と部分的に重なる請求項１乃至８に記載の画像記録装置。
【発明の詳細な説明】
【技術分野】
【０００１】
本発明は、記録媒体に画像を記録する画像記録装置の構成に関するものである。
【背景技術】
【０００２】
従来、図１１に示す特許文献１の両面記録装置は、用紙トレイ１と、給送ローラ２と、給送ガイド３と、画像記録部４と、画像が記録された用紙をスイッチバックさせて再給送するスイッチバックローラ対５が順次配置されている。そして、スイッチバックされた用紙を画像記録部４へ再給送する再給送経路は、画像記録部４と給送ローラ２との間に設定されており、再給送ガイド８が配置されている。
【先行技術文献】
【特許文献】
【０００３】
【特許文献１】特開２００２−３６２７６６号公報
【発明の概要】
【発明が解決しようとする課題】
【０００４】
しかしながら、上記特許文献１では、再給送経路が、画像記録部４と給送ローラ２との間の狭い空間に設定されているため、画像記録部４の直前部分の再給送経路の曲率を小さくすることが困難である。そこで、前記曲率を小さくするために、画像記録部４の位置を上げたりした場合は、装置の全高寸法が大きくなってしまうという問題がある。
【０００５】
本発明は、上記課題を解決すべくなされたものであり、装置の大型化を抑制しつつ、かつ再給送経路の曲率を小さくし曲げを緩やかにすることが可能な画像記録装置を提供することを目的とする。
【課題を解決するための手段】
【０００６】
上記目的を達成するため、請求項１に記載の発明の画像記録装置は、記録媒体に画像を記録する画像記録部と、記録媒体を収容可能な第１収容部と、収容された前記記録媒体を給送する第１給送部と、前記第１収容部の下流側かつ前記画像記録部の上流側に配置され、給送された前記記録媒体を前記画像記録部へガイドする第１給送ガイドと、前記画像記録部の下流側に配置され、画像が記録された前記記録媒体を再給送する再給送部と、前記画像記録部と前記第１収容部との間に配置され、再給送された前記記録媒体を前記画像記録部へガイドする第１再給送ガイドとを備え、前記第１給送ガイドには、前記第１再給送ガイドによりガイドされる前記記録媒体が通過する貫通部が設けられている。
【０００７】
この構成により、第１再給送ガイドによりガイドされる記録媒体は第１給送ガイドにおける貫通部を通過する。これにより、第１再給送ガイドを第１給送ガイドよりも外側の空間に配置することができる。よって、装置の大型化を抑制しつつ、第１再給送ガイドの曲率を小さくすることができる。
【０００８】
（２）前記貫通部付近には、前記第１給送ガイドの一部を構成する第１位置と、第１再給送ガイドの一部を構成する第２位置とに回動可能なフラッパをさらに有することが好ましい。
【０００９】
この構成により、フラッパは、記録媒体が第１給送ガイドをガイドされる際には、第１給送ガイドの一部を構成する第１位置に回動しており、記録媒体が第１再給送ガイドをガイドされる際には、第１再給送ガイドの一部を構成する第２位置に回動している。これにより、記録媒体を確実にガイドすることができる。
【００１０】
（３）前記フラッパを前記第２位置に付勢する付勢部材を有することが好ましい。
【００１１】
この構成により、フラッパは、記録媒体が第１給送ガイドをガイドされる際には、記録媒体の当接により第１位置に回動し、記録媒体が第１再給送ガイドをガイドされる際には、付勢部材により第２位置に回動する。これにより、記録媒体をより確実にガイドすることができる。
【００１２】
（４）前記貫通部よりも上流側の前記第１再給送ガイドの近傍には、再給送された前記記録媒体を前記貫通部を通過させずに前記画像記録部へガイドする第２再給送ガイドをさらに有することが好ましい。
【００１３】
この構成により、再給送された記録媒体を貫通部を通過させずに画像形成部に給送することが可能となる。
【００１４】
（５）前記第２再給送ガイドの一部は、前記第１再給送ガイドにおける記録媒体の搬送方向に直交する方向において、前記第１再給送ガイドよりも両外側にあることが好ましい。
【００１５】
この構成により、記録媒体を再給送する際に、記録媒体の搬送方向に直交する方向の幅によって、第１再給送ガイドまたは第２再給送ガイドを選択することができる。
【００１６】
（６）前記第１給送ガイドにおける前記貫通部よりも下流側は、前記第２再給送ガイドの一部を兼用することが好ましい。
【００１７】
この構成により、第１給送ガイドにおける貫通部よりも下流側を別部品で構成する必要がないため、装置の小型化が可能である。また、部品点数の増加を抑えることができる。
【００１８】
（７）前記第１収容部を挟んで前記画像記録部の反対側に配置され、記録媒体を収容可能な第２収容部と、収容された前記記録媒体を給送する第２給送部と、前記第２収容部の下流側及び前記画像記録部の上流側に配置され、給送された前記記録媒体を前記画像記録部へガイドする第２給送ガイドとをさらに備え、前記第２給送ガイドは、前記第１再給送ガイドにおける前記貫通部よりも下流側を兼用することが好ましい。
【００１９】
この構成により、第１再給送ガイドにおける貫通部よりも下流側を別部品で構成する必要がないため、装置の小型化が可能である。また、部品点数の増加を抑えることができる。
【００２０】
（８）前記第１給送部は、給送ローラと、前記給送ローラを支持し、前記給送ローラと収容された前記記録媒体とが接離するように回動軸を中心に回動する支持アームとを備え、前記第１再給送ガイドの、前記第１給送部による記録媒体の給送方向への投影面は、前記回動軸の前記投影面と部分的に重なることが好ましい。
【００２１】
この構成により、画像記録部と第１給送部における回動軸の間の狭い空間に第１再給送ガイドを配置する必要がないため、第１再給送ガイドを小さい曲率で配置することが可能になる。よって、記録用紙を曲げの緩やかな第１再給送ガイドによりガイドできるため、剛性の高い記録媒体の搬送もより安定して行うことができる。
【００２２】
（９）前記第１再給送ガイドの、前記第１給送部による記録媒体の給送方向への投影面は、前記画像記録部の前記投影面と部分的に重なることが好ましい。
【００２３】
この構成により、画像記録部と第１給送部における回動軸の間の狭い空間に第１再給送ガイドを配置する必要がないため、第１再給送ガイドを小さい曲率で配置することが可能になる。よって、記録用紙を曲げの緩やかな第１再給送ガイドによりガイドできるため、剛性の高い記録媒体の搬送もより安定して行うことができる。
【発明の効果】
【００２４】
本発明の画像記録装置によれば、装置の大型化を抑えつつ、第１再給送ガイドの曲率を小さくすることができる。
【図面の簡単な説明】
【００２５】
【図１】本発明の実施形態１に係る複合機１００の外観斜視図
【図２】実施形態１におけるガイドフラッパ１６５が給紙位置にあるときのプリンタ部１０４の内部構造の概略側面図
【図３】実施形態１におけるガイドフラッパ１６５が再給紙位置にあるときのプリンタ部１０４の内部構造の概略側面図
【図４】実施形態１における第１湾曲ガイド１６４とガイドフラッパ１６５の斜視図
【図５】第１用紙カセット１１０の挿抜時のプリンタ部１０４の内部構造の概略側面図
【図６】ＣＤ及びＤＶＤラベル印刷時のプリンタ部１０４の内部構造の概略側面図
【図７】変形例１におけるプリンタ部１０４の内部構造の概略側面図
【図８】変形例１における第１湾曲ガイド１６４とガイドフラッパ２５２と第３湾曲ガイド２７４の斜視図
【図９】変形例１における複合機１００の後方側の概略斜視図
【図１０】変形例２におけるプリンタ部１０４の内部構造の概略側面図
【図１１】従来の両面記録装置の概略側面図
【発明を実施するための形態】
【００２６】
以下、適宜図面を参照して、本発明の好ましい実施形態について説明する。
【実施形態】
【００２７】
図１は、本発明の一実施形態である複合機１００の外観斜視図である。なお、以下の説明においては、複合機１００が使用可能に設置された図１の状態を基準として上下方向９４を定義し、操作パネル１０２が設けられている側を前側として前後方向９６を定義し、複合機１００を前側から見て左右方向９８を定義する。
【００２８】
複合機１００は、上下方向よりも、左右方向及び前後方向の方が長い概ね直方体である。複合機１００は、プリンタ部１０４を下部に、スキャナ部１０６を上部に、操作パネル１０２を前側上部に備える。
【００２９】
［プリンタ部１０４の構成］
図２に示すように、プリンタ部１０４は、画像記録部１３０と、第１用紙カセット１１０と、第１給紙部１１４と、主搬送部１５８と、反転搬送部１６１と、経路ガイド部１６７と、スイッチバック部１４０を有する。
【００３０】
［画像記録部１３０］
画像記録部１３０はプリンタ部１０４における上部に配置され、第１給紙部１１４によって給紙された記録用紙にインク滴を吐出して記録用紙に画像を記録する。画像記録部１３０は、記録ヘッド２０６と、キャリッジ２０５を有する。
【００３１】
記録ヘッド２０６は、インクカートリッジ（不図示）から供給されたインクを微小なインク滴として吐出する。これにより、記録用紙に画像が記録される。
【００３２】
キャリッジ２０５は、記録ヘッド２０６を支持する。また、キャリッジ２０５は、左右方向（紙面垂直方向）に延出されたガイドレール（不図示）に支持され、ガイドレールに沿って左右方向に往復動可能である。
【００３３】
［第１用紙カセット１１０］
図１に示すように、第１用紙カセット１１０は、プリンタ部１０４の底側に配置され、各種サイズの記録用紙が収容可能である。用紙カセット１１０は、プリンタ部１０４に開口１０８から前後方向に挿抜可能である。なお、用紙カセット１１０は、プリンタ部１０４のフレーム（不図示）などに固定されていてもよい。
【００３４】
図２に示すように、第１用紙カセット１１０は、底板１１０Ａと、側板（不図示）と、分離傾斜板１１０Ｂと、排紙保持部１１２を有する。
【００３５】
底板１１０Ａは、第１用紙カセット１１０の下部に配置された長方形の板である。底板１１０Ａには、記録用紙が載置される。なお、底板１１０Ａは、記録用紙が載置可能であれば、長方形に限られない。
【００３６】
側板は、底板１１０Ａの左右方向の両端部に、底板１１０Ａの前端から後端に渡って立設される板である。右側の側板は、その後方側に凹部（不図示）が設けられている。凹部は、用紙カセット１１０の挿入方向に対して傾斜した傾斜部を備えている。凹部における傾斜部は、第１用紙カセット１１０を抜き出す際に、後述の支持アーム１１８に当接し、支持アーム１１８を押し上げる。なお、凹部は、左側の側板に設けられていてもよい。また、左右両方の側板に設けられていてもよい。
【００３７】
分離傾斜板１１０Ｂは、底板１１０Ａの後端に、底板１１０Ａの右端から左端に渡って、後方斜め上向きに立設される板である。分離傾斜板１１０Ｂは、最上位の記録用紙を分離する。分離傾斜板１１０Ｂの内面には複数の歯が突出している。給紙された記録用紙の先端が分離傾斜板１１０Ｂの内面に当接した際に、仮に複数の記録用紙が重なっていても、上記歯によって最上位の記録用紙だけが分離されて画像記録部１３０へ給紙される。また、分離傾斜板１１０Ｂは、図５に示すように、第１用紙カセット１１０を挿入する際に、後述の支持アーム１１８に当接し、支持アーム１１８を押し上げる。
【００３８】
図１に示すように、排紙保持部１１２は、第１用紙カセット１１０の前方側の上方に配置され、その上面で排出された記録済みの記録用紙を保持する。排紙保持部１１２は、第１用紙カセット１１０と一体に構成され、第１用紙カセット１１０とともにプリンタ部１０４に対して挿抜可能である。なお、排紙保持部１１２は、用紙カセット１１０と別体に構成され、プリンタ部１０４のフレームなどに固定されていてもよい。
【００３９】
［第１給紙部１１４］
図２に示すように、第１給紙部１１４は、第１用紙カセット１１０の上方に配置され、収容された記録用紙を給紙する。第１給紙部１１４は、給紙ローラ１１６と、支持アーム１１８と、給紙用モータ（不図示）と、第１駆動伝達機構（不図示）を有する。
【００４０】
給紙ローラ１１６は、支持アーム１１８に回転可能に支持され、記録用紙を第１湾曲ガイド１６４へ給紙する。給紙ローラ１１６は、一つのローラにより構成される。なお、給紙ローラ１１６は、１つ以上であればよく、複数個の場合には、回転軸１１７方向の長さが異なってもよい。
【００４１】
支持アーム１１８は、一方の端部にアーム回動軸１２０を有し、他方の端部側に給紙ローラ１１６を回転可能に支持する。支持アーム１１８は、アーム回動軸１２０を中心に回動し、アーム回動軸１２０から後方側に延出される。また、支持アーム１１８の基端側は、その一部が右側に延出（不図示）されている。右側に延出された端部側は、第１用紙カセット１１０を抜き出す際、側板の凹部における傾斜部に当接する。なお、支持アーム１１８の基端側における延出方向は、その延出された端部側が凹部における傾斜部に当接すればよいため、左右どちらであってもよい。また、左右両方に延出されていてもよい。
【００４２】
アーム回動軸１２０は、支持アーム１１８の基端部に配置され、支持アーム１１８を回動可能に支持する回動中心軸である。アーム回動軸１２０は、第１用紙カセット１１０の上方、かつ、後述の第２傾斜ガイド１７２の下方に位置する。アーム回動軸１２０により、支持アーム１１８は、第１位置（図２に示す位置）と、第２位置（図５に示す位置）に回動可能である。支持アーム１１８は、自重、または、支持アーム１１８の基端部に備えられた第１バネ（不図示）により、図２の矢印１２２方向へ付勢される。
【００４３】
給紙用モータは、給紙ローラ１１６を回転させる駆動力源であり、プリンタ部１０４のフレームに固定される。給紙用モータは、正逆方向のいずれにも回転可能である。
【００４４】
第１駆動伝達機構は、支持アーム１１８のアーム回動軸１２０から後方側への延出方向に概ね直線状に並ぶ複数のギアで構成され、各ギアは、支持アーム１１８に軸支される。第１駆動伝達機構は、給紙用モータの駆動力を、給紙ローラ１１６に伝達し、給紙ローラ１１６を回転させる。第１駆動伝達機構は、給紙用モータが正方向に回転した際、給紙ローラ１１６を図２の矢印１２３方向に回転させる。
【００４５】
支持アーム１１８の第１位置（図２に示す位置）は、給紙ローラ１１６を、第１用紙カセット１１０に収容された記録用紙に圧接させる位置である。支持アーム１１８が第１位置にあるとき、給紙ローラ１１６は、収容された記録用紙を給紙可能である。
【００４６】
支持アーム１１８の第２位置（図５に示す位置）は、給紙ローラ１１６を、第１用紙カセット１１０の挿抜領域から退避させる位置である。支持アーム１１８が第２位置にあるとき、給紙ローラ１１６は、第１用紙カセットの挿抜領域から退避している。支持アーム１１８は、第１用紙カセット１１０を挿入する際に、分離傾斜板１１０Ｂにより押圧される。また、第１用紙カセット１１０を抜き出す際に、第１用紙カセット１１０の側板の凹部における傾斜部により押圧される。これらの押圧により、支持アーム１１８は、押し上げられるように回動する。
【００４７】
［主搬送部１５８］
図２に示すように、主搬送部１５８は、第１用紙カセット１１０の後端から排紙保持部１１２の後端に渡って配置され、第１給紙部１１４により第１用紙カセット１１０から給紙された記録用紙を画像記録部１３０の下方を経由して搬送する。主搬送部１５８は、第１主搬送路１６０と、第１搬送ローラ対１８３と、第２搬送ローラ対１８７と、スイッチバックローラ対１９１を有する。
【００４８】
第１主搬送路１６０は、主搬送部１５８における記録用紙の通路である。第１主搬送路１６０は、第１湾曲路１６０Ａと、記録路１６０Ｃと、排紙路１６０Ｂに区別される。
【００４９】
第１湾曲路１６０Ａは、第１用紙カセット１１０の分離傾斜板１１０Ｂの上端付近から画像記録部１３０の記録用紙の搬送方向における上流側（以下、単に「上流側」と略称する。）に渡って延設された湾曲状の通路である。第１湾曲路１６０Ａは、第１湾曲ガイド１６４を有する。
【００５０】
第１湾曲ガイド１６４は、ガイド面１６４Ａと、貫通孔１６４Ｂを有する。
【００５１】
ガイド面１６４Ａは、プリンタ部１０４の内部側を中心とする概ね円弧状の面であり、記録用紙は、ガイド面１６４Ａに沿うように搬送される。ガイド面１６４Ａは、左右方向に延出されている。
【００５２】
貫通孔１６４Ｂは、図４に示すように、第１湾曲ガイド１６４の下端に配置された切欠きであり、後述する第１反転搬送路１６２を搬送される記録用紙が通過可能である。貫通孔１６４Ｂは左右方向に延出され、その左右方向の長さは記録用紙の幅よりも長い。また、貫通孔１６４Ｂは、ガイド面１６４Ａの左右方向における中心から、左右それぞれ同じ長さに延出されている。このため、記録用紙は、貫通孔１６４Ｂを通過することができる。なお、貫通孔１６４Ｂは、記録用紙が通過可能であればよく、切欠きに限られない。また、貫通孔１６４Ｂは、第１湾曲ガイド１６４の下端に限られず、下方に配置されていればよい。
【００５３】
図２に示すように、記録路１６０Ｃは、画像記録部１３０の上流側から下流側に渡って延設された直線状の通路である。記録路１６０Ｃは、プラテン２０４により形成される。プラテン２０４は、画像記録部１３０の下方に配置され、画像記録部１３０によって画像が記録される際に、記録用紙を水平に支持する。プラテン２０４は、前後方向及び左右方向に延出されている。
【００５４】
排紙路１６０Ｂは、画像記録部１３０の下流側から排紙保持部１１２の上流側に渡って延設された直線状の通路である。排紙路１６０Ｂは、排紙ガイド１６６により形成される。排紙ガイド１６６は、第２搬送ローラ対１８７の下流側に配置され、その上面で記録用紙を支持する。排紙ガイド１６６は、前後方向及び左右方向に延出されている。
【００５５】
第１搬送ローラ対１８３は、第１湾曲ガイド１６４及び後述の第２湾曲ガイド１７４の上端と画像記録部１３０の間に配置され、第１湾曲路１６０Ａ及び第２湾曲路１６２Ｃ（図３参照）を搬送された記録用紙を挟持してプラテン上へ搬送する。第１搬送ローラ対１８３は、第１搬送ローラ１８０とピンチローラ１８２を有する。ピンチローラ１８２は、第１搬送ローラ１８０の下方に配置され、第２バネ（不図示）によって第１搬送ローラ１８０のローラ面に圧接される。
【００５６】
第２搬送ローラ対１８７は、画像記録部１３０と排紙ガイド１６６の間に配置され、記録路１６０Ｃを搬送された記録用紙を挟持して排紙ガイド１６６へ搬送する。第２搬送ローラ対１８７は、第２搬送ローラ１８４と拍車ローラ１８６を有する。拍車ローラ１８６は、第２搬送ローラ１８４の上方に配置され、自重もしくは第３バネ（不図示）によって第２搬送ローラ１８４のローラ面に圧接される。
【００５７】
第１搬送ローラ１８０及び第２搬送ローラ１８４の駆動力源は、第１搬送用モータ（不図示）である。第１搬送用モータの駆動力は、第２駆動伝達機構（不図示）を構成するギアを介して第１搬送ローラ１８０及び第２搬送ローラ１８４に伝達される。第２駆動伝達機構は、第１搬送用モータが正方向のいずれに回転した際に、記録用紙を下流側に搬送するように、第１搬送ローラ１８０及び第２搬送ローラ１８４を回転させる。
【００５８】
図６に示すように、プラテン２０４と、ピンチローラ１８２と、第２搬送ローラ１８４と、排紙ガイド１６６と、切換フラッパ２１２と、スイッチバックローラ１８８は、ＣＤまたはＤＶＤのラベルに画像を記録する際、下方に移動可能である。これにより、プラテン２０４、ピンチローラ１８２、第２搬送ローラ１８４、スイッチバックローラ１８８がそれぞれ対向するキャリッジ２０５、第１搬送ローラ１８０、拍車ローラ１８６、拍車ローラ１９０との間にＣＤ及びＤＶＤが挿入可能な空間３０４を確保することができる。
【００５９】
スイッチバックローラ対１９１は排紙ガイド１６６と排紙保持部１１２の間に配置され、排紙路１６０Ｂを搬送された記録用紙を挟持して排紙保持部１１２上または後述の第１反転搬送路１６２へ搬送する。スイッチバックローラ対１９１は、スイッチバックローラ１８８と拍車ローラ１９０を有する。拍車ローラ１９０は、スイッチバックローラ１８８の上方に配置され、自重もしくは第４バネ（不図示）によってスイッチバックローラ１８８のローラ面に圧接される。
【００６０】
スイッチバックローラ１８８の駆動力源は、第２搬送用モータ（不図示）である。第２搬送用モータの駆動力は、第３駆動伝達機構（不図示）を構成するギアを介してスイッチバックローラ１８８に伝達される。第３駆動伝達機構は、第２搬送用モータの正方向の回転により、記録用紙を下流側に搬送する方向にスイッチバックローラ１８８を回転させる。一方、第２搬送用モータの逆方向の回転により、記録用紙を上流側に搬送する方向にスイッチバックローラ１８８を回転させる。なお、第１搬送用モータと第２搬送用モータは、一つの同じモータでもよい。
【００６１】
［反転搬送部１６１］
図３に示すように、反転搬送部１６１は、スイッチバックローラ１８８の上流側から第１湾曲ガイド１６４の上端に渡って配置され、画像が記録されてスイッチバックローラ対１９１に挟持された記録用紙を、記録部１３０に向けて搬送する。反転搬送部１６１は、第１反転搬送路１６２と、スイッチバックローラ対１９１を有する。
【００６２】
第１反転搬送路１６２は、反転搬送部１６１における記録用紙の通路である。第１反転搬送路１６２は、第１傾斜路１６２Ａと、第２傾斜路１６２Ｂと、第２湾曲路１６２Ｃに区別される。
【００６３】
第１傾斜路１６２Ａは、スイッチバックローラ対１９１の上流側から後方斜め下向きに延設された直線状の通路である。第１傾斜路１６２Ａは、第１傾斜ガイド１７０により形成される。第１傾斜ガイド１７０は、スイッチバックローラ対１９１の上流側から後方斜め下向きに延設され、その上面で記録用紙を支持する。第１傾斜ガイド１７０は、左右方向に延出されている。
【００６４】
第２傾斜路１６２Ｂは、第１給紙部１１４の上方に配置され、第１傾斜ガイド１７０の後端付近から第１湾曲ガイド１６４の下端付近に渡って延設された直線状の通路である。第２傾斜路１６２Ｂは、第２傾斜ガイド１７２により形成される。第２傾斜ガイド１７２は、第１傾斜ガイド１７０の後端から後方斜め下向きに延設され、その上面で記録用紙を支持する。第２傾斜ガイド１７２の前後方向の傾斜角度は、第１傾斜ガイド１７０の傾斜角度よりも小さい。第２傾斜ガイド１７２は、左右方向に延出されている。第２傾斜ガイド１７２は、貫通孔１７２Ａを有する。なお、第２傾斜ガイド１７２は、前後方向に傾斜角度を持たず、略水平であってもよい。
【００６５】
貫通孔１７２Ａは、四角形の孔であり、第２傾斜ガイド１７２の下流側に位置する。貫通孔１７２Ａは、第１用紙カセット１１０の挿抜の際に、退避した給紙ローラ１１６が嵌まる。なお、貫通孔１７２Ａは、給紙ローラ１１６が嵌まる形状であれば四角形に限られない。また、給紙ローラ１１６が嵌まる切り欠きでもよい。
【００６６】
第２湾曲路１６２Ｃは、第１湾曲ガイド１６４よりも後方側に配置され、第１湾曲ガイド１６４の下端付近から、第１湾曲ガイド１６４の上端付近に渡って延設された湾曲状の通路である。第２湾曲路１６２Ｃは、第２湾曲ガイド１７４により形成される。第２湾曲ガイド１７４は、ガイド面１７４Ａを有する。ガイド面１７４Ａは、プリンタ部１０４の内部側を中心とする概ね円弧状の面であり、記録用紙は、ガイド面１７４Ａを沿うように搬送される。ガイド面１７４Ａは左右方向に延出されている。ガイド面１７４Ａの左右方向の長さは、貫通孔１６４Ｂの左右方向の長さと同じ程度である。また、ガイド面１７４Ａは、貫通孔１６４Ｂの左右方向における中心から、左右それぞれ同じ長さに延出されている。なお、ガイド面１７４Ａの左右方向の長さは、貫通孔１６４Ｂの左右方向の長さよりも長くてもよい。
【００６７】
第２湾曲ガイド１７４における下方側は、アーム回動軸１２０から前後方向に水平に延出した仮想直線３００よりも下方に配置される。一方、第２湾曲ガイド１７４における上方側は、画像記録部１３０の下端から前後方向に水平に延出した仮想直線３０２よりも上方に配置される。これにより、第２湾曲ガイド１７４は、その曲率が小さくなる。なお、第２湾曲ガイド１７４は、その下方側だけが仮想直線３００よりも下方に配置されていてもよい。また、上方側だけが仮想直線３０２よりも上方に配置されていてもよい。
【００６８】
［経路ガイド部１６７］
【００６９】
図４に示すように、経路ガイド部１６７は、貫通孔１６４Ｂの近傍に配置され、主搬送路１６０（図２参照）の一部または第１反転搬送路１６２（図３参照）の一部を構成する。経路ガイド部１６７はガイドフラッパ１６５を有する。
【００７０】
ガイドフラッパ１６５は、左右方向に延出された回動軸１６５Ａに支持される。ガイドフラッパ１６５は、回動軸１６５Ａから延出されるとともに、左右方向に延出されている。ガイドフラッパ１６５の左右方向の長さは、貫通孔１６４Ｂよりも短い。また、ガイドフラッパ１６５は、貫通孔１６４Ｂの左右方向における中心から、左右それぞれ同じ長さに延出されている。なお、ガイドフラッパ１６５は、複数個であってもよい。
【００７１】
図３に示すように、回動軸１６５Ａは、分離傾斜板１１０Ｂの上端近傍であり、かつ、第２傾斜ガイド１７２の後端よりも後方側に配置され、ガイドフラッパ１６５を回動可能に支持する回転中心軸である。回動軸１６５Ａは、プリンタ部１０４のフレームに固定されている。このため、ガイドフラッパ１６５は、給紙位置（図２に示す位置）と、再給紙位置（図３に示す位置）に回動可能である。ガイドフラッパ１６５は、その基端部に備えられたバネ（不図示）により、矢印１２４方向へ付勢される。したがって、ガイドフラッパ１６５は、第１用紙カセット１１０から記録用紙を給紙させる前の給紙待機状態では、再給紙位置に回動する。
【００７２】
ガイドフラッパ１６５の給紙位置（図２に示す位置）は、第１用紙カセット１１０から給紙された記録用紙を、第１湾曲路１６０Ａへ搬送させる回動位置である。ガイドフラッパ１６５の延出端部は、給紙位置にあるとき、ガイド面１６４Ａ近傍に位置する。これにより、ガイドフラッパ１６５は、貫通孔１６４Ｂを塞ぎ、主搬送路１５８の一部を構成する。ガイドフラッパ１６５は、給紙された記録用紙の先端によりガイドフラッパ１６５の給紙面１６５Ｂが押圧される。これにより、ガイドフラッパ１６５は押し上げられるように回動する。
【００７３】
ガイドフラッパ１６５の再給紙位置（図３に示す位置）は、スイッチバックされた記録用紙を、第２湾曲路１６２Ｃへ搬送させる回動位置である。ガイドフラッパ１６５の延出端部は、再給紙位置にあるとき、後述の第２傾斜ガイド１７２の下流側端部近傍に位置する。これにより、ガイドフラッパ１６５は、第１反転搬送路１６２の一部を構成する。
【００７４】
［スイッチバック部１４０］
スイッチバック部１４０は、第２搬送ローラ対１８７と排紙保持部１１２の間に配置され、記録用紙をスイッチバックさせる。スイッチバック部１４０は、スイッチバックローラ対１９１と、切換フラッパ２１２と、シートセンサ（不図示）を有する。
【００７５】
切換フラッパ２１２は、第２搬送ローラ対１８７とスイッチバックローラ対１９１の間に配置され、排紙路１６０Ｂの一部または第１傾斜路１６２Ａの一部を構成する。切換フラッパ２１２は、回動軸２１４を有する。切換フラッパ２１２は、回動軸２１４の下流側に延出されるとともに、左右方向に延出されている。画像が記録された記録用紙は、切換フラッパ２１２の上面に支持されてスイッチバックローラ対１９１へ搬送される。スイッチバックされた記録用紙は、フラッパ２１２の下面にガイドされて第１反転搬送路１６２へ搬送される。
【００７６】
回動軸２１４は、排紙ガイド１６６の下流側のフレームに配置され、切換フラッパ２１２を回動可能に支持する回動中心軸である。このため、切換フラッパ２１２は、回動軸２１４により排出位置（図２に示す位置）と、反転位置（図３に示す位置）に回動可能である。
【００７７】
切換フラッパ２１２の排出位置は、画像が記録された記録用紙を排紙保持部１１２に搬送させる回動位置である。切換フラッパ２１２の延出端部は、排出位置にあるとき、スイッチバックローラ１８８近傍に配置される。また、切換フラッパ２１２の基端部と延出端部を結ぶ仮想直線は、第２搬送ローラ１８４とスイッチバックローラ１８８を結ぶ仮想直線に沿うように配置される。
【００７８】
フラッパ２１２の反転位置は、画像が記録された記録用紙を第１反転搬送路１６２に搬送させる回動位置である。フラッパ２１２の延出端部は、反転位置にあるとき、拍車ローラ１９０近傍に配置される。
【００７９】
シートセンサは、排紙ガイド１６６に配置され、記録用紙の有無を検知する。シートセンサは、検出子を有する回転体と、発光素子（例えば、発光ダイオード）及びこの発光素子から発光された光を受光する受光素子（例えば、フォトトランジスタ）を有するフォトインタラプタを備える。検出子は、排紙ガイド１６６の上面から突出するように配置され、排紙路１６０Ｂを搬送される記録用紙の後端を検知可能である。
【００８０】
なお、スイッチバック部１４０は、画像が記録された記録用紙を反転搬送路１６２へ搬送可能であれば、上記構成に限られない。例えば、画像が記録された記録用紙を排紙保持部１１２などに一旦載置した後、再び給送する再給送ローラを備えていてもよい。
【００８１】
［両面記録動作］
以下、図２及び図３を参照して、プリンタ部１０４における両面記録動作について説明する。
【００８２】
複合機１００に対して両面記録の指示が入力されると、まず、プリンタ部１０４に備えられた給紙用モータが回転する。給紙用モータの回転が、第１駆動伝達機構を介して、給紙ローラ１１６に伝達される。これにより、給紙ローラ１１６は、矢印１２３方向に回転し、第１用紙カセット１１０に収容された記録用紙を給紙する。
【００８３】
給紙された記録用紙は、ガイドフラッパ１６５を押し上げるように給紙位置に回動して、ガイドフラッパ１６５に沿うように搬送された後、第１湾曲路１６０Ａへ搬送される。ガイドフラッパ１６５は、記録用紙がガイドフラッパ１６５を通過した後、再給紙位置に回動する。
【００８４】
続いて、記録用紙は、第１湾曲ガイド１６４のガイド面１６４Ａに沿って下方から上方へＵターンするように搬送される。
【００８５】
記録用紙が第１搬送ローラ対１８３に到達すると、給紙用モータの回転が停止し、給紙ローラ１１６の回転が停止する。
【００８６】
その後、記録用紙は、第１搬送ローラ対１８３により、記録路１６０Ｃに向けプラテン２０４上へ搬送される。プラテン２０４上に搬送された記録用紙のおもて面には、画像記録部１３０により記録が行われる。
【００８７】
おもて面に画像が記録された記録用紙は、第２搬送ローラ対１８７により排紙路１６０Ｂに搬送される。記録用紙が切換フラッパ２１２に到達すると、切換フラッパ２１２は、反転位置から排出位置に回動する。そして、記録用紙は、スイッチバックローラ対１９１により、さらに下流側に搬送される。
【００８８】
排紙路１６０Ｂを搬送される記録用紙は、その後端がシートセンサの検出子により検知される。検出子が記録用紙の後端が通過したことを検知すると、複合機１００の制御部は、記録用紙の後端が切換フラッパ２１２の延出端部とスイッチバックローラ対１９１の間で停止するように、スイッチバックローラ１８８の回転を停止する。なお、片面記録の場合、記録用紙は停止されず、スイッチバックローラ対１９１により排紙保持部１１２へ搬送される。
【００８９】
記録用紙の後端が切換フラッパ２１２の延出端部とスイッチバックローラ対１９１の間で停止すると、切換フラッパ２１２は、排出位置から反転位置に回動する。
【００９０】
続いて、第２搬送用モータが逆方向に回転することにより、スイッチバックローラ１８８が逆方向に回転する。これにより、記録用紙の後端側がスイッチバックローラ対１９１に挟持された状態で搬送方向が切り換えられ、記録用紙は第１反転搬送路１６２に搬送される。
【００９１】
記録用紙は、第１傾斜路１６２Ａを経て第２傾斜路１６２Ｂに搬送される。第２傾斜路１６２Ｂを搬送された記録用紙は、ガイドフラッパ１６５に沿うように搬送され、貫通孔１６４Ｂを通過する。
【００９２】
貫通孔１６４Ｂを通過した記録用紙は、第２湾曲路１６２Ｃに搬送され、記録路１６０Ｃへ再給紙される。
【００９３】
記録用紙が、再度記録路１６０Ｃに搬送されると、画像記録部１３０によって裏面に画像が記録される。両面に画像が記録された記録用紙は、排紙路１６０Ｂに搬送された後、再び正方向に回転されたスイッチバックローラ１８８によって排紙保持部１１２へ排出される。
【００９４】
［実施形態１の効果］
上述したように、実施形態１では、第２湾曲路１６２Ｃは、第１湾曲路１６０Ａよりも後方側に配置される。さらに、第１反転搬送路１６２を搬送される記録用紙は、第１湾曲ガイド１６４に備えられた貫通孔１６４Ｂを通過して第２湾曲路１６２Ｃに搬送される。このため、装置の全高寸法を抑え、かつ、第２湾曲路１６２Ｃにおける曲率を小さくすることができる。
【００９５】
［変形例１］
以下、図７乃至図９を参照しながら、実施形態１の変形例１について説明する。なお、実施形態１と共通する構成は、実施形態１と同じ番号の符号を付し、その説明を省略する。
【００９６】
変形例１は、貫通孔１６４Ｃと、ガイドフラッパ２５２と、第２湾曲路２５６の構成が実施形態１と異なる。また、第２反転搬送路２７０を新たに備える。
【００９７】
貫通孔１６４Ｃは、図８に示すように、第１湾曲ガイド１６４の下端に配置された切欠きであり、第１反転搬送路１６２を搬送される記録用紙が通過可能である。貫通孔１６４Ｃは、左右方向に延出され、その左右方向の長さが貫通孔１６４Ｂと異なる。貫通孔１６４Ｃの左右方向の長さは、Ａ４の記録用紙の横幅よりも短く、かつ、葉書サイズの記録用紙の横幅よりも長い。また、貫通孔１６４Ｃは、ガイド面１６４Ａの左右方向における中心から、左右それぞれ同じ長さに延出されている。このため、搬送される記録用紙のうち、横幅の長さが葉書サイズ以下の記録用紙は、貫通孔１６４Ｃを通過可能である。なお、貫通孔１６４Ｃは、横幅の長さが葉書サイズ以下の記録用紙が通過可能であればよく、切欠きに限られない。また、貫通孔１６４Ｂは、第１湾曲ガイド１６４の下端に限られず、下方に配置されていればよい。また、貫通孔１６４Ｃの左右方向における中心とガイド面１６４Ａの左右方向における中心がずれていてもよい。
【００９８】
ガイドフラッパ２５２は、貫通孔１６４Ｃの近傍に配置され、主搬送路１５８の一部または第１反転搬送路１６２の一部を構成する。ガイドフラッパ２５２は、左右方向に延出され、その左右方向の長さがガイドフラッパ１６５と異なる。ガイドフラッパ２５２の左右方向の長さは、貫通孔１６４Ｃよりも短い。また、ガイドフラッパ２５２は、貫通孔１６４Ｃの左右方向における中心から、左右それぞれ同じ長さに延出されている。なお、ガイドフラッパ２５２は、複数個であってもよい。
【００９９】
第２湾曲路２５６は、図７に示すように、第１湾曲ガイド１６４よりも後方側に配置され、第１湾曲ガイド１６４の下方付近から、第１湾曲ガイド１６４の上端付近に渡って延設された湾曲状の通路である。第２湾曲路２５６は、第２湾曲ガイド２６６により形成される。第２湾曲ガイド２６６は、ガイド面２６６Ａを有する。ガイド面２６６Ａは、その左右方向の長さがガイド面１７４Ａと異なる。ガイド面２６６Ａの左右方向の長さは、貫通孔１６４Ｃの左右方向の長さと同じ程度である。また、ガイド面２６６Ａは、貫通孔１６４Ｃの左右方向の中心から、左右それぞれ同じ長さに延出されている。なお、ガイド面２６６Ａの左右方向の長さは、貫通孔１７４Ｃの左右方向の長さよりも長くてもよい。
【０１００】
第２反転搬送路２７０は、第１傾斜路１６２Ａと、第２傾斜路１６２Ｂと、第３湾曲路２７０Ｃに区別される。
【０１０１】
第３湾曲路２７０Ｃは、第２傾斜ガイド１７２の後端から画像記録部１３０の上流側に渡って延設された湾曲状の通路である。第３湾曲路２７０Ｃは、第３湾曲ガイド２７４と第１湾曲ガイド１６４により形成される。
【０１０２】
図８に示すように、第３湾曲ガイド２７４は、ガイドフラッパ２５２の左右方向の両端よりも外側に配置され、１つは左側の外側であり、他の１つは右側の外側である。第３湾曲ガイド２７４は、第２傾斜ガイド１７２の後端からガイド面１６４Ａ近傍に位置する。第３湾曲ガイド２７４は、貫通孔１６４Ｃの左右方向の中心から、左右それぞれ同じ長さ離れて配置される。第３湾曲ガイド２７４の左右方向の間隔は、貫通孔１６４Ｃの左右方向の長さと同じである。なお、第３湾曲ガイド２７４の左右方向の間隔は、葉書サイズの横幅の記録用紙が通過可能であればよく、貫通孔１６４Ｃの左右方向の長さより短くてもよい。第３湾曲ガイド２７４は、外側ガイド面２７４Ａと、内側ガイド面２７４Ｂを有する。
【０１０３】
外側ガイド面２７４Ａは、プリンタ部１０４の内部上方側を中心とする概ね円弧状の面であり、第１用紙カセット１１０から給紙された記録用紙は、外側ガイド面２７４Ａを沿うように搬送される。
【０１０４】
内側ガイド面２７４Ｂは、プリンタ部１０４の内部上方側を中心とする概ね円弧状の面であり、第２反転搬送路２７０を搬送される記録用紙のうち、横幅が葉書サイズ以上の記録用紙は、内側ガイド面２７４Ｂを沿うように搬送される。内側ガイド面２７４Ｂを搬送された記録用紙は、第１湾曲ガイド１６４に搬送される。一方、第２反転搬送路２７０を搬送される記録用紙のうち、横幅が葉書サイズ以下の記録用紙は、貫通孔１６４Ｃを通過して、第２湾曲ガイド２６６に搬送される。
【０１０５】
つまり、第２反転搬送路２７０を搬送される記録用紙は、横幅の短い記録用紙は貫通孔１６４Ｃを通過して第２湾曲ガイド２５６に搬送される。また、横幅の長い記録用紙は、第３湾曲ガイド２７４に案内されて第１湾曲ガイド１６４に搬送される。なお、第２湾曲路２５６の左右方向の長さは、第３湾曲路２７０Ｃの左右方向の長さよりも短ければよく、葉書サイズを基準としなくてもよい。
【０１０６】
なお、貫通孔１６４Ｃ、ガイドフラッパ２５２、第２湾曲ガイド２６６の構成を、それぞれ貫通孔１６４Ｂ、ガイドフラッパ１６５、第２湾曲ガイド１７４と同じにしてもよい。このとき、第３湾曲ガイド２７４は、左右の別をなくして一体に構成する。第３湾曲ガイド２７４の左右方向の長さは、貫通孔１６４Ｂの左右方向の長さと同じである。第３湾曲ガイド２７４は、貫通孔１６４Ｂの左右方向における中心から、左右それぞれ同じ長さに延出されている。
【０１０７】
第３湾曲ガイド２７４は、第２反転搬送路２７０から退避可能、もしくは、その上流側に設けられる回動軸により回動可能に構成される。第３湾曲ガイド２７４が退避していない、もしくは、回動していない状態では、第２反転搬送路２７０を搬送される記録用紙は、第３湾曲ガイド２７４の内側ガイド面（不図示）に沿うように搬送された後、第１湾曲ガイド１６４に搬送される。一方、第３湾曲ガイド２７４が退避した、もしくは、回動した状態では、第２反転搬送路２７０を搬送される記録用紙は、貫通孔１６４Ｂを通過して第２湾曲ガイド１７４に搬送される。第３湾曲ガイド２７４は、搬送される記録用紙の剛性が所定の値よりも高い場合に、退避する、もしくは、回動するように構成される。これにより、剛性の高い記録用紙は、第２湾曲ガイド１７４へ搬送される。なお、記録用紙の剛性における所定の値とは、任意の値でよい。
【０１０８】
つまり、第１反転搬送路１６２を搬送される記録用紙のうち剛性の高い記録用紙は、貫通孔１６４Ｃを通過して第２湾曲ガイド２６６に搬送される。また、剛性の低い記録用紙は、第３湾曲ガイド２７４にガイドされて第１湾曲ガイド１６４に搬送される。言い換えれば、剛性が高い記録用紙を、曲率が小さく曲げが緩やかな第２湾曲ガイド２６６へ搬送することができる。なお、変形例１は、後述の変形例２の構成を有していてもよい。
【０１０９】
［変形例１の効果］
図９に示すように、装置の後方側の後方面２５８は、第２湾曲ガイド２６６を収容可能な湾曲部２６０を有する。湾曲部２６０の左右方向の長さは、実施形態１よりも短くできるため、装置の大型化を防ぐことが可能である。また、記録用紙の剛性が低い場合には、第１湾曲ガイド１６４に搬送され、剛性が高い場合には、第２湾曲ガイド２６６に搬送される。これにより、剛性の高い記録用紙を、曲率の小さな第２湾曲ガイド２６６へ搬送可能であり、両面記録の際の搬送がより安定して行える。
【０１１０】
［変形例２］
以下、図１０を参照しながら、実施形態１の変形例２について説明する。なお、実施形態１に共通する構成は、実施形態１と同じ番号の符号を付し、その説明を省略する。
【０１１１】
変形例２は、第２用紙カセット２８０と、第２給紙部２８２を新たに備える。また、第１主搬送路１６０に加えて第２主搬送路２８４を備える。
【０１１２】
第２用紙カセット２８０は、第１用紙カセット１１０の下方に配置され、記録用紙を収容する。第２用紙カセット２８０は、第１用紙カセット１１０と同じ構成である。
【０１１３】
第２給紙部２８２は、第２用紙カセット２８０の上方に配置され、収容された記録用紙を給紙する。第２給紙部２８２は、第１給紙部１１４の構成と同じである。
【０１１４】
第２主搬送路２８４は、第４湾曲路２８４Ａと、記録路１６０Ｃと、排紙路１６０Ｂに区別される。
【０１１５】
第４湾曲路２８４Ａは、第２用紙カセット２８０の分離傾斜板２８０Ｂの上端付近から第１搬送ローラ対１８３の上流側に渡って延設された湾曲部分を有する通路である。第４湾曲路２８４Ａは、第４湾曲ガイド２８６により形成される。
【０１１６】
第４湾曲ガイド２８６は、ガイド面２８６Ａを有する。ガイド面２８６Ａは、プリンタ部１０４の内部側を中心とする概ね円弧状の面を有し、第２用紙カセット２５６から給紙された記録用紙は、ガイド面２８６Ａに沿うように搬送される。
【０１１７】
第１反転搬送路１６２を搬送され、貫通孔１６４Ｂを通過した記録用紙は、ガイド面２８６Ａに搬送される。記録用紙は、ガイド面２８６Ａの湾曲部分を沿うように搬送された後、記録路１６０Ｃに搬送される。つまり、第４湾曲ガイド２８６の一部は、第２湾曲ガイド１７４を兼用する。なお、変形例２は、変形例１の構成を有していてもよい。
【０１１８】
［変形例２の効果］
第１反転搬送路１６２は、第２主搬送路２８４を形成する第４湾曲ガイド２８６を利用して形成されるため、新たにガイドを設ける必要がない。
【符号の説明】
【０１１９】
１００・・・複合機
１０４・・・プリンタ部
１０８・・・開口
１１０・・・第１用紙カセット（第１収容部）
１１０Ａ・・・底板
１１０Ｂ・・・分離傾斜板
１１２・・・排紙保持部
１１４・・・第１給紙部（第１給送部）
１１６・・・給紙ローラ（給送ローラ）
１１８・・・支持アーム（支持アーム）
１３０・・・画像記録部（画像記録部）
１４０・・・スイッチバック部（再給送部）
１６０・・・第１主搬送路
１６０Ａ・・・第１湾曲路
１６０Ｂ・・・排紙路
１６０Ｃ・・・記録路
１６２・・・第１反転搬送路
１６２Ａ・・・第１傾斜路
１６２Ｂ・・・第２傾斜路
１６２Ｃ・・・第２湾曲路
１６４・・・第１湾曲ガイド（第１給送ガイド）
１６４Ａ・・・ガイド面
１６４Ｂ・・・貫通孔（貫通部）
１６５・・・ガイドフラッパ（フラッパ）
１６５Ａ・・・回動軸
１６５Ｂ・・・給紙面
１６６・・・排紙ガイド
１７０・・・第１傾斜ガイド（第１再給送ガイド）
１７２・・・第２傾斜ガイド（第１再給送ガイド）
１７２Ａ・・・貫通孔
１７４・・・第２湾曲ガイド（第１再給送ガイド）
１７４Ｂ・・・ガイド面
２７４・・・第３湾曲ガイド（第２再給送ガイド）
２８０・・・第２用紙カセット（第２収容部）
２８２・・・第２給紙部（第２給送部）
２８６・・・第４湾曲ガイド（第２給送ガイド）
【図１】
2010228875.tif 000003
【図２】
2010228875.tif 000004
【図３】
2010228875.tif 000005
【図４】
2010228875.tif 000006
【図５】
2010228875.tif 000007
【図６】
2010228875.tif 000008
【図７】
2010228875.tif 000009
【図８】
2010228875.tif 000010
【図９】
2010228875.tif 000011
【図１０】
2010228875.tif 000012
【図１１】
2010228875.tif 000013